(57)【要約】      （修正有）【課題】双方向性の娯楽デバイスをより便利に、より多い方法で操作できるリモコン装置を提供する。【解決手段】リモコン装置の本体、リモコンの主処理モジュール、発信モジュール、受信モジュール、リモコン処理モジュール、保存モジュール、リモコン処理モジュールと連接して、かつ当該リモコン処理モジュールによって制御される機能キー、発信装置、受信装置、カバーの背面に設置されるリモコン電源、リモコンの主処理モジュールと連接するハンドル処理モジュール、上記ハンドル処理モジュールと連接するハンドル、およびリモコンの主処理モジュールと連接する暗証認証キー、暗証認証キーと連接してリモコンの本体の上に設置される暗証認証キーを含む。【選択図】図１
0003123854.tif 000002
【実用新案登録請求の範囲】
【請求項１】
リモコン装置の本体、リモコン装置の側面に発信装置と受信装置を設け、そのリモコン装置のカバーの正面に機能キーを設け、カバーの背面にリモコン装置の電源を設け、さらに、リモコンの主処理モジュール、それと連接する発信モジュール、受信モジュール、リモコン処理モジュール及び保存モジュールを含み、カバーの正面に設置される機能キーは、リモコン処理モジュールと連接し、かつ当該処理モジュールによって制御され、リモコンの側面に設置される発信装置は、発信モジュールと連接し、かつ当該発信モジュールによって制御され、また、リモコンの側面に設置される受信装置は、受信モジュールと連接し、かつ当該受信モジュールによって制御され、さらに、そのカバーの正面に設置されるハンドル、リモコン本体のカバー上に設置される暗証認証キー、リモコンの主処理モジュールと連接するハンドルの処理モジュール、暗証認証モジュールを含み、ハンドルはハンドルの処理モジュールと連接し、かつ当該ハンドルの処理モジュールによって制御されており、暗証認証キーは暗証認証モジュールと連接し、かつ当該暗証認証モジュールによって制御されることを特徴とするリモコン装置。
【請求項２】
請求項1記載のリモコン装置において、一つのマウス移動キー、一つのマウス移動を制御するモジュールを含み、上記マウス移動を制御するモジュールはリモコン装置の主制御モジュールと連接しており、また、上記マウス移動キーはマウス移動を制御するモジュールと連接し、かつ当該マウスの移動を制御するモジュールによって制御されることを特徴とするリモコン装置。
【請求項３】
請求項1または2記載のリモコン装置において、前記ハンドルはリモコンのカバーの正面に設けられることを特徴とするリモコン装置。
【考案の詳細な説明】
【技術領域】
【０００１】
本考案は、リモコン装置に関し、とくに双方向性の娯楽デバイスをより便利に、より多い方法で操作できるリモコン装置に関する。
【従来の技術】
【０００２】
科学技術の進歩に伴って、各種の家庭用の娯楽デバイスが一般の家庭に入っている。テレビ、ビデオカメラ、DVD、ゲームプレーヤーおよびその他の娯楽デバイスは、各家庭に見受けられる。これらの娯楽デバイスに対応するデバイス用リモコン装置は、娯楽デバイスを便利かつ迅速に操作できるので、娯楽デバイスにとって欠かせない部品になっている。
【０００３】
テレビ、ビデオカメラ、DVD、ゲームプレーヤー等用リモコンの主たる機能は、これらの娯楽デバイスの基本機能を実現させるものである。例えば、デバイスの操作開始／終了、早送り／巻戻し、レコーディング、一時停止等の機能をこれらのリモコンは有するが、操作の内容が少なく、安全性を求める特定の応用環境においてその需要を満足させることができない。特定の娯楽デバイスの応用において、より多くの操作機能が必要とされる。例えば、特定の娯楽デバイスを通じて、インターネットと普通の家庭テレビとを連結させることにより、ユーザーは、普通の家庭用テレビでインターネットの内容を見ることができるし、また、リモコンおよび相応するデバイスを通じてインターネットゲームを楽しむこともできる。このような多元化した双方向性の装置の実現は、より多機能、より安全、より便利、かつ迅速な操作が必要とされる。
【０００４】
従来のリモコンは、暗証認証とリモートコントロール操作盤のハンドル両方とも必要とされる双方向性の娯楽デバイスを操作することに対する需要を満足させることができないし、また、より安全、かつより便利、迅速に、双方向性の娯楽デバイスを操作するという需要を満足させることもできない。
【０００５】
考案の内容
本考案の目的は、双方向性の娯楽デバイスを操作することができ、かつより安全に操作できるリモコン装置を提供することである。
【０００６】
上記目的を実現させるために、本考案は以下のリモコン装置を提供する。
【０００７】
リモコン装置の本体、リモコン装置の側面に発信装置と受信装置を設け、そのリモコン装置のカバーの正面に機能キーを設け、カバーの背面にリモコン装置の電源を設け、さらに、リモコンの主処理モジュール、それと連接する発信モジュール、受信モジュール、リモコン処理モジュール及び保存モジュールを含み、カバーの正面に設置される機能キーは、リモコン処理モジュールと連接し、かつ当該処理モジュールによって制御され、リモコンの側面に設置される発信装置は、発信モジュールと連接し、かつ当該発信モジュールに制御され、また、リモコンの側面に設置される受信装置は、受信モジュールと連接し、かつ当該受信モジュールに制御され、さらに、そのカバーの正面に設置されるハンドル、リモコン本体のカバー上に設置される暗証認証キー、リモコンの主処理モジュールと連接するハンドルの処理モジュール、暗証認証モジュールを含み、ハンドルはハンドルの処理モジュールと連接し、かつ当該ハンドルの処理モジュールに制御され、暗証認証キーは暗証認証モジュールと連接し、かつ当該暗証認証モジュールに制御される。
【０００８】
本考案のリモコン装置は、一つのマウス移動キー、一つのマウス移動を制御するモジュールを含み、上記マウス移動を制御するモジュールはリモコン装置の主制御モジュールと連接し、また、上記マウス移動キーはマウス移動を制御するモジュールと連接し、かつ当該マウスの移動を制御するモジュールに制御される。
【０００９】
従来の技術と比べて、本考案のリモコン装置は、その主処理モジュールにおいて、暗証認証モジュールとハンドル処理モジュールとを互いに接続し、暗証認証キーと暗証認証モジュールとを互いに接続し、ハンドルとハンドル処理モジュールとを互いに接続することを特徴としており、これによって、本考案は、双方向性の娯楽デバイスに対して、安全な認証番号を設定することができ、かつハンドル操作を通じて双方向性の娯楽デバイスを操作することができる。
【００１０】
具体的実施方式
図面１のように、本考案のリモコンは、リモコンの主体処理モジュール、それと連接する発信用の発信モジュール、上記主処理モジュールと連接する受信用の受信モジュール、上記主処理モジュールと連接して、リモコンの機能キーを制御するリモコン処理モジュール、上記主処理モジュールと連接して、各情報を保存する保存モジュール、上記主処理モジュールと連接するハンドル処理モジュール、上記主処理モジュールと連接する暗証認証モジュール、および上記主処理モジュールと連接するマウス移動の制御モジュールを有する。
【００１１】
リモコン装置の本体の他に、本考案のリモコン装置は、そのカバーの正面に多種機能キー、リモコンの側面に発信装置と受信装置、そのリモコンのカバーの正面にハンドル、リモコンの本体の上に暗証認証キー、および、マウス移動キーを有する。また、上記機能キーは、リモコンの処理モジュールと連接し、かつ当該リモコンの処理モジュールに制御される。上記発信装置は、発信モジュールと連接して、かつ当該発信モジュールに制御される。上記受信装置は、受信モジュールと連接し、かつ当該受信モジュールに制御される。上記ハンドルは、ハンドルの処理モジュールと連接し、かつ当該ハンドルの処理モジュールに制御される。上記暗証認証キーは、暗証認証モジュールと連接し、かつ当該暗証認証モジュールに制御される。さらに、上記マウス移動キーは、マウス移動のコントロールモジュールと連接し、かつ当該マウス移動のコントロールモジュールに制御される。
【００１２】
本考案の装置は、リモコン処理モジュールと保存モジュールを含み、カバーの正面に設置される機能キーは、リモコン処理モジュールと連接し、かつ当該処理モジュールに制御され、リモコンの側面に設置される発信装置は、発信モジュールと連接し、かつ当該発信モジュールによって制御され、また、リモコンの側面に設置される受信装置は、受信モジュールと連接し、かつ当該受信モジュールによって制御される。さらに、そのカバーの正面に設置されるハンドル、リモコン本体カバーの上に設置される暗証認証キー、リモコンの主処理モジュールと連接するハンドルの処理モジュール、暗証認証モジュールを含み、ハンドルはハンドルの処理モジュールと連接し、かつ当該ハンドルの処理モジュールによって制御されており、暗証認証キーは暗証認証モジュールと連接し、かつ当該暗証認証モジュールによって制御されることを特徴としている。
【００１３】
ユーザーは、サーバーにつなぐ時、リモコンの上に設置される暗証認証キーを制御することによって、必要とされる暗証番号を娯楽デバイスに設置される受信装置に送る。具体的にいえば、娯楽デバイスのサーバーの規則によって、ユーザーに動的暗号化計算法の使用時間と方法を知らせて、ユーザーに動的暗号化計算法を教える。ユーザーは、動的暗号化計算法の規則に基づいて、データーを暗号化し、または解読する。また、暗証の認証後、デバイスの操作を選ぶ。ハンドルの操作で、発信装置を通じて特定の赤外線信号を発信する。娯楽デバイスはその信号を正確に受信したのち、これを解読し、さらにデバイスの対応する操作を駆動、制御する。
【００１４】
本考案のリモコン装置は、ハンドル処理モジュールに制御されるハンドルと、暗証認証モジュールに制御される暗証認証キーを増設することによって、双方向性の娯楽デバイスに対して、安全な認証番号を設定することを実現でき、かつハンドル操作を通じて双方向性の娯楽デバイスを操作することができる。
【図面の簡単な説明】
【００１５】
以下においては、図面を参照しつつ具体的な実施例を述べて、本考案を説明する。
【図１】図面１は、本考案リモコンのモジュール構造を示す概念図。
【図１】
0003123854.tif 000003